(57)【要約】【課題】酸素が安定化された、酸素、糖あるいは糖アルコール、およびアミノ酸を含有する組成物およびその安定化方法、該組成物を含む水性診断品質管理または較正の試薬を提供する。【解決手段】本明細書に開示されるのは、酸素、糖または糖アルコール、およびアミノ酸を含む組成物であり、アミノ酸は、酸素を安定化するのに十分な量で存在している。また、水性診断品質管理または校正の試薬、および液体溶液中の酸素を安定させる方法も提供される。【選択図】図１
2021507246.tif 000002
【特許請求の範囲】
【請求項１】
酸素、糖あるいは糖アルコール、およびアミノ酸を含有し、該アミノ酸は該酸素を安定させるのに十分な量で存在する、組成物。
【請求項２】
前記アミノ酸が、オルニチン、タウリン、スレオニン、シトルリン、ヒスチジン、リジン、アルギニン、トリプトファン、アミノグアニジン誘導体、アンホテリシン、またはそれらの任意の組み合わせである、請求項１に記載の組成物。
【請求項３】
前記アミノ酸が、長期室温貯蔵に対して酸素を安定化するのに十分な量で存在する、請求項１または２に記載の組成物。
【請求項４】
約０．５ｍｍｏｌ／ｌ〜約１１ｍｍｏｌ／ｌの前記アミノ酸を含有する、請求項１〜３のいずれか１項に記載の組成物。
【請求項５】
約２５ｍｍＨｇ〜約６５０ｍｍＨｇの前記酸素を含む、請求項１〜４のいずれか１項に記載の組成物。
【請求項６】
約２７ｍｇ／ｄｌ〜約７５０ｍｇ／ｄｌのグルコースを含む、請求項１〜５のいずれか１項に記載の組成物。
【請求項７】
約４．５ｍｇ／ｄｌ〜約２００ｍｇ／ｄｌの血中尿素窒素（ＢＵＮ）をさらに含む、請求項１〜６のいずれか１項に記載の組成物。
【請求項８】
ナトリウム、塩化物、カリウム、カルシウム、マグネシウム、またはそれらの任意の組み合わせをさらに含む、請求項１〜７のいずれか１項に記載の組成物。
【請求項９】
前記組成物が、約６．６〜約７．７のｐＨを有する、請求項１〜８のいずれか１項に記載の組成物。
【請求項１０】
前記組成物が閉鎖系に配置されている、請求項１〜９のいずれか１項に記載の組成物。
【請求項１１】
請求項１〜１０のいずれか１項に記載の組成物を備えた、水性診断品質管理または較正の試薬。
【請求項１２】
分析機器の、酸素センサー、グルコースセンサー、または酸素センサーおよびグルコースセンサーの両方を較正するように適合された、請求項１１に記載の水性診断品質管理または較正の試薬。
【請求項１３】
液体溶液中の酸素を安定化させる方法であって、
安定化量のアミノ酸を該液体溶液に添加し、
該液体溶液は、該酸素と糖あるいは糖アルコールとを含む、方法。
【請求項１４】
前記アミノ酸が、オルニチン、タウリン、スレオニン、シトルリン、ヒスチジン、リジン、アルギニン、トリプトファン、アミノグアニジン誘導体、アンホテリシン、またはそれらの任意の組み合わせである、請求項１３に記載の方法。
【請求項１５】
前記アミノ酸が長期室温貯蔵のために酸素を安定化させる、請求項１３または１４に記載の方法。
【請求項１６】
前記液体溶液が、約０．５ｍｍｏｌ／ｌ〜約１１ｍｍｏｌ／ｌの前記アミノ酸を含有する、請求項１３〜１５のいずれか１項に記載の方法。
【請求項１７】
前記液体溶液が、約２５ｍｍＨｇから約６５０ｍｍＨｇの前記酸素を含む、請求項１３〜１６のいずれか１項に記載の方法。
【請求項１８】
前記液体溶液が、約２７ｍｇ／ｄｌ〜約７５０ｍｇ／ｄｌのグルコースを含有する、請求項１３〜１７のいずれか１項に記載の方法。
【請求項１９】
前記液体溶液が、診断センサーと共に使用するための、水性診断品質管理または較正の試薬である、請求項１３〜１８のいずれか１項に記載の方法。
【発明の詳細な説明】
【技術分野】
【０００１】
本明細書は、安定化酸素を含む組成物およびその作製方法を開示する。
【０００２】
本件出願は、２０１７年１２月２１日に提出された米国仮出願第６２／６０８，６７７号の３５ＵＳＣ§１１９（ｅ）に基づく利益を主張する。上記で参照した特許出願の内容全体は、参照により本明細書に明示的に組み込まれる。
【背景技術】
【０００３】
室温では酸素（ｐ０２）が不安定であるため、水性診断品質管理および校正の試薬は通常２〜８℃で保存する必要がある。ユーザーは、近辺で冷蔵を利用できない場所でアッセイを実行する必要があり、保管温度範囲を２〜３０℃に拡大することが好ましい場合がある。したがって、２〜８℃での保管では、診断品質管理や校正の試薬の保管には不十分な場合がよくある。
【０００４】
本明細書に開示されるのは、酸素、糖あるいは糖アルコール、およびアミノ酸を含有し、アミノ酸は、酸素を安定化するのに十分な量で存在する組成物である。
【０００５】
開示された組成物のいずれかを含む水性診断品質管理または較正の試薬も提供される。
【０００６】
さらに提供されるのは、液体溶液中の酸素を安定化する方法であり、この方法は、安定化量のアミノ酸を液体溶液に添加することを含み、液体溶液は酸素および糖あるいは糖アルコールを含む。
【０００７】
概要および以下の詳細な説明は、添付の図面と併せて読むとさらに理解される。開示された組成物、試薬、および方法を例示する目的で、組成物、試薬、および方法の例示的な実施形態が図面に示されている；しかしながら、組成物、試薬、および方法は、開示された特定の実施形態に限定されない。図面では、以下が示される。
【図面の簡単な説明】
【０００８】
【図１】図１は、４５℃で２週間保管された溶液のグルコース濃度に対するｐ０２分解のパーセント（％）を示している。
【図２】図２は、ゼロ時間（ベースライン）と比較した、２５℃で１２週間保存されたアミノ酸含有溶液中の酸素回収率パーセント（％）を示す。
【発明を実施するための形態】
【０００９】
開示された組成物、試薬、および方法は、本開示の一部を構成する添付の図面と関連して行われる以下の詳細な説明を参照することにより、より容易に理解され得る。開示された組成物、試薬、および方法は、本明細書に記載および／または示される特定の組成物、試薬、および方法に限定されないことと、本明細書で使用される用語は、例として特定の実施形態を説明することのみを目的とし、特許請求される組成物、試薬、および方法を限定することを意図するものではないこととが、理解されるべきである。
【００１０】
特に明記されていない限り、可能なメカニズムまたは作用モードまたは改善の理由に関するいかなる説明も、例示のみを目的とするものであり、開示された組成物、試薬、および方法は、そのような提案されたメカニズムあるいはアクションのモードまたは改善の理由の正確性または不正確さによって制約されるものではない。
【００１１】
このテキスト全体を通して、説明は、安定化された酸素を含有する組成物、および液体溶液中の酸素を安定化させる方法に言及している。開示が組成物に関連する特徴または実施形態を説明または主張する場合、そのような特徴または実施形態は、開示された方法に等しく適用可能である。同様に、開示が、開示された方法に関連する特徴または実施形態を説明または主張する場合、そのような特徴または実施形態は、組成物に等しく適用可能である。
【００１２】
本明細書で数値の範囲が列挙または確立されている場合、その範囲は、その端点と、範囲内のすべての個々の整数および分数を範囲内に含み、そして、これらの端点と内部の整数および分数の全てのさまざまな可能な組み合わせによって形成される、その中のより狭い範囲のそれぞれも、指定された範囲内の値のより大きなグループのサブグループを形成するために、それらのより狭い範囲のそれぞれが明示的に列挙されているかのようにと同じ程度に、含む。本明細書で数値の範囲が所定の値よりも大きいと述べられている場合でも、範囲は有限であり、その上限は、本明細書に記載の本発明の文脈内で動作可能な値によって制限される。本明細書では、数値の範囲が所定の値未満であると記載されている場合でも、その範囲は、その下限が非ゼロ値によって制限されている。本発明の範囲が、範囲を定義するときに列挙された特定の値に限定されることは意図されていない。すべての範囲は包括的で結合可能である。
【００１３】
先行詞「約」を使用することによって値が近似値として表される場合、特定の値が別の実施形態を形成することが理解されよう。特定の数値への言及は、文脈が明確に他のことを指示しない限り、少なくともその特定の値を含む。
【００１４】
明確にするために別個の実施形態の文脈で本明細書に記載されている開示された組成物、試薬、および方法の特定の特徴は、単一の実施形態で組み合わせて提供することもできることを理解されたい。逆に、簡潔にするために単一の実施形態の文脈で説明されている、開示された組成物、試薬、および方法の様々な特徴は、別々にまたは任意のサブコンビネーションで提供することもできる。
【００１５】
本明細書で使用される場合、単数形「１つの（ａ）」、「１つの（ａｎ）」、および「その（ｔｈｅ）」は、複数形を含む。
【００１６】
説明の態様に関連する様々な用語が、明細書および特許請求の範囲全体で使用されている。そのような用語は、他に示されない限り、当技術分野におけるそれらの通常の意味を与えられるべきである。他の具体的に定義された用語は、ここで提供された定義と一致するように解釈される。
【００１７】
「約（ａｂｏｕｔ）」という用語は、数値範囲、カットオフ（ｃｕｔｏｆｆｓ）、または特定の値に関連して使用される場合、列挙された値がリストされた値から最大１０％変動する可能性があることを示すために使用される。したがって、「約（ａｂｏｕｔ）」という用語は、指定値から、±１０％以下の変動、±５％以下の変動、±１％以下の変動、±０．５％以下の変動、または±０．１％以下の変動を包含するように使用される。
【００１８】
「備える、含む（Ｃｏｍｐｒｉｓｉｎｇ）」という用語は、「から本質的になる」および「からなる」という用語に含まれる例を含むことを意図している；同様に、「から本質的になる」という用語は、「からなる」という用語に包含される例を含むことを意図している。
【００１９】
酸素とさまざまな糖およびグルコースなどの糖アルコールを含む溶液では、糖／糖アルコールは化学反応によって酸素を不安定にする傾向がある。開示された組成物は、酸素安定化量のアミノ酸の添加によりこの問題に対処し、糖または糖アルコールが誘発する酸素の不安定化を防止する。開示された組成物は、酸素、糖あるいは糖アルコール、およびアミノ酸を含み、アミノ酸は、酸素を安定させるのに十分な量で存在する。
【００２０】
適切な糖および糖アルコールは、グルコース、マルトース、ラクトース、マルツロース、イソマルツロースラクツロース、またはそれらの組み合わせを含むが、これらに限定されない。いくつかの実施形態では、糖はグルコースである。
【００２１】
開示された組成物は、糖／糖アルコールと酸素の間の化学反応を阻害する１つまたは複数のアミノ酸を含む。適切なアミノ酸には、例えば、遊離アミノ、イミノ、またはグアニジノ側鎖を含むものが含まれる。アミノ酸は、オルニチン、タウリン、スレオニン、シトルリン、ヒスチジン、リジン、アルギニン、トリプトファン、アミノグアニジン誘導体、アンホテリシン、またはそれらの任意の組み合わせのＤ体またはＬ体にすることができる。いくつかの実施形態では、アミノ酸はオルニチンである。
【００２２】
アミノ酸は、対照組成物と比較して酸素の安定化を増加させるのに十分な量で存在し、該対照組成物は、酸素および糖あるいは糖アルコールを含むが、アミノ酸は含まない。対照組成物と比較して酸素の安定性の増加は、任意の温度で起こり得る。例えば、アミノ酸は、４℃、３７℃、室温、または組成物の貯蔵に適した任意の温度で、長期保存のために、酸素の安定化を高めるのに十分な量で存在することができる。いくつかの実施形態では、アミノ酸は、対照組成物と比較して、室温での長期保存のための酸素を安定化するのに十分な量で存在し、対照組成物は、酸素および糖あるいは糖アルコールを含むが、アミノ酸は含まない。長期保存は、１ヶ月、２ヶ月、３ヶ月、４ヶ月、５ヶ月、６ヶ月、７ヶ月、８ヶ月、９ヶ月、１０ヶ月、１１ヶ月、１年、または１年より長くすることができる。いくつかの実施形態では、室温での長期保存は、６ヶ月から１年間である。
【００２３】
いくつかの実施形態では、ｐＯ２損失は、室温で２４週間の貯蔵期間にわたって約１０ｍｍＨｇ未満である。ｐ０２損失は、室温で２４週間の保管期間で、約１ｍｍＨｇ、２ｍｍＨｇ、３ｍｍＨｇ、４ｍｍＨｇ、５ｍｍＨｇ、６ｍｍＨｇ、７ｍｍＨｇ、８ｍｍＨｇ、９ｍｍＨｇ、または１０ｍｍＨｇになる可能性がある。いくつかの実施形態では、ｐ０２損失は、対照組成物と比較して１０％、２０％、３０％、４０％、５０％、６０％、７０％、８０％または９０％減少する。
【００２４】
アミノ酸の適切な濃度には、約０．１ｍｍｏｌ／ｌ〜約２０ｍｍｏｌ／ｌ、約０．５ｍｍｏｌ／ｌ〜約１５ｍｍｏｌ／ｌ、約１ｍｍｏｌ／ｌ〜約１０ｍｍｏｌ／ｌ、または約１．５ｍｍｏｌ／ｌ〜約５ｍｍｏｌ／ｌが含まれる。いくつかの実施形態では、組成物は、約０．５ｍｍｏｌ／ｌ〜約１１ｍｍｏｌ／ｌのアミノ酸を含む。
【００２５】
組成物は、約１０ｍｍＨｇ〜約１０００ｍｍＨｇ、約１５ｍｍＨｇ〜約８５０ｍｍＨｇ、約２０ｍｍＨｇ〜約７００ｍｍＨｇ、約５０ｍｍＨｇ〜約５００ｍｍＨｇ、または約１００ｍｍＨｇ〜約２５０ｍｍＨｇの酸素を含むことができる。いくつかの実施形態では、組成物は、約２５ｍｍＨｇから約６５０ｍｍＨｇの酸素を含む。
【００２６】
組成物は、約５ｍｇ／ｄｌ〜約１０００ｍｇ／ｄｌ、約１５ｍｇ／ｄｌ〜約９００ｍｇ／ｄｌ、約２０ｍｇ／ｄｌ〜約８００ｍｇ／ｄｌ、または約５０ｍｇ／ｄｌ〜約５００ｍｇ／ｄｌのグルコースを含むことができる。いくつかの実施形態では、組成物は、約２７ｍｇ／ｄｌ〜約７５０ｍｇ／ｄｌのグルコースを含む。
【００２７】
組成物は、酸素、糖あるいは糖アルコール、およびアミノ酸に加えて、血液尿素窒素（ＢＵＮ）として測定された尿素、塩、緩衝液、保存剤、および／または界面活性剤をさらに含むことができる。ＢＵＮの濃度は、約１ｍｇ／ｄｌ〜約２００ｍｇ／ｄｌ、約２ｍｇ／ｄｌ〜約１７５ｍｇ／ｄｌ、約３ｍｇ／ｄｌ〜約１５０ｍｇ／ｄｌ、約４ｍｇ／ｄｌ〜約１００ｍｇ／ｄｌ、または約５ｍｇ／ｄｌ〜約５０ｍｇ／ｄｌであることができる。いくつかの実施形態では、組成物は、約４．５ｍｇ／ｄｌ〜約９０ｍｇ／ｄｌのＢＵＮを含む。適切な塩には、ナトリウム、塩化物、カリウム、カルシウム、マグネシウム、またはそれらの任意の組み合わせが含まれる。適切な緩衝液には、リン酸塩、ＭＥＳ、ＭＯＰＳ、ＭＯＰＳＯ、ＨＥＰＥＳ、およびＴＲＩＳが含まれる。適切な界面活性剤には、トリトン、ＢＲＩＪ、およびサーフィノールが含まれる。適切な保存剤には、ＭＩＴ、Ｃｌ−ＭＩＴ、およびアジドが含まれる。
【００２８】
組成物は、約６〜約９、約６．２〜約８．５、または約６．４〜約８のｐＨを有することができる。いくつかの実施形態では、組成物は、約６．６〜約７．７のｐＨを有することができる。
【００２９】
開示された組成物は、閉鎖系に配置することができる。適切な閉鎖系には、例えば、可撓性ポーチ、アンプル、ボトル、チューブ、カートリッジなどが含まれる。閉鎖系はガラスまたはポリプロピレンであり得る。
【００３０】
本明細書では、本明細書で開示される任意の組成物を含む水性診断品質管理または較正の試薬も提供される。
【００３１】
開示された水性診断品質管理および較正の試薬は、分析機器内の酸素センサー、グルコースセンサー、または酸素センサーとグルコースセンサーの両方を較正するように適合させることができる。開示されている水性診断品質管理および較正の試薬は、疾患状態（高血糖症／低血糖症など）および代謝状態（酸素含有量など）の検出／診断を含むが、これらに限定されずに、食品や飲料のテスト、農業、医薬品の開発やテストと同様に、さまざまな医療診断アプリケーションで使用できる。
【００３２】
液体溶液中の酸素を安定化する方法も提供され、この方法は、安定化量のアミノ酸を液体溶液に添加することを含み、液体溶液は酸素と糖あるいは糖アルコールを含む。
【００３３】
アミノ酸は、糖／糖アルコールと酸素との間の化学反応を阻害するものである。適切なアミノ酸には、例えば、遊離アミノ、イミノ、またはグアニジノ側鎖を含むものが含まれる。アミノ酸は、オルニチン、タウリン、スレオニン、シトルリン、ヒスチジン、リジン、アルギニン、トリプトファン、アミノグアニジン誘導体、アンホテリシン、またはそれらの任意の組み合わせのＤ体またはＬ体にすることができる。いくつかの実施形態では、アミノ酸はオルニチンである。
【００３４】
アミノ酸の安定化量は、対照組成物と比較して酸素の安定化を高めるのに十分な量であり、対照組成物は、酸素および糖あるいは糖アルコールを含むが、アミノ酸は含まない。対照組成物と比較した酸素の安定性の増加は、任意の温度で起こり得る。例えば、その方法は、４℃、３７℃、室温、または液体溶液の保存に適した任意の温度での、長期保存のために酸素の安定性を高めるのに十分な量でアミノ酸を加えることを含み得る。いくつかの実施形態では、その方法は、対照組成物と比較して、室温での長期保存のために酸素を安定化するのに十分な量のアミノ酸を加えることを含み、対照組成物は、酸素および糖あるいは糖アルコールを含むが、アミノ酸は含まない。長期保存は、１ヶ月、２ヶ月、３ヶ月、４ヶ月、５ヶ月、６ヶ月、７ヶ月、８ヶ月、９ヶ月、１０ヶ月、１１ヶ月、１年、または１年より長くすることができる。いくつかの実施形態では、室温での長期保存は、６ヶ月〜１年間である。アミノ酸の適切な濃度には、約０．１ｍｍｏｌ／ｌ〜約２０ｍｍｏｌ／ｌ、約０．５ｍｍｏｌ／ｌ〜約１５ｍｍｏｌ／ｌ、約１ｍｍｏｌ／ｌ〜約１０ｍｍｏｌ／ｌ、または約１．５ｍｍｏｌ／ｌ〜約５ｍｍｏｌ／ｌが含まれる。いくつかの実施形態では、その方法は、約０．５ｍｍｏｌ／ｌ〜約１１ｍｍｏｌ／ｌのアミノ酸を液体溶液に加えることを含む。
【００３５】
いくつかの実施形態では、ｐＯ２損失は、室温での２４週間の保存期間にわたって約１０ｍｍＨｇ未満である。ｐ０２の損失は、室温で２４週間の保存期間で約１ｍｍＨｇ、２ｍｍＨｇ、３ｍｍＨｇ、４ｍｍＨｇ、５ｍｍＨｇ、６ｍｍＨｇ、７ｍｍＨｇ、８ｍｍＨｇ、９ｍｍＨｇ、または１０ｍｍＨｇになる可能性がある。いくつかの実施形態では、ｐ０２損失は、対照組成物と比較して１０％、２０％、３０％、４０％、５０％、６０％、７０％、８０％または９０％減少する。
【００３６】
液体溶液は、約１０ｍｍＨｇ〜約１０００ｍｍＨｇ、約１５ｍｍＨｇ〜約８５０ｍｍＨｇ、約２０ｍｍＨｇ〜約７００ｍｍＨｇ、約５０ｍｍＨｇ〜約５００ｍｍＨｇ、または約１００ｍｍＨｇ〜約２５０ｍｍＨｇの酸素を含むことができる。いくつかの実施形態では、液体溶液は、約２５ｍｍＨｇ〜約６５０ｍｍＨｇの酸素を含む。
【００３７】
液体溶液は、約５ｍｇ／ｄｌ〜約１０００ｍｇ／ｄｌ、約１５ｍｇ／ｄｌ〜約９００ｍｇ／ｄｌ、約２０ｍｇ／ｄｌ〜約８００ｍｇ／ｄｌ、または約５０ｍｇ／ｄｌ〜約５００ｍｇ／ｄｌのグルコースを含むことができる。いくつかの実施形態では、液体溶液は、約２７ｍｇ／ｄｌ〜約７５０ｍｇ／ｄｌのグルコースを含む。
【００３８】
いくつかの実施形態では、液体溶液は、診断センサーで使用するための水性診断品質管理または較正の試薬である。診断センサーには、糖あるいは糖アルコールおよび／または酸素のセンサーが含まれるが、これらに限定されない。いくつかの実施形態では、糖あるいは糖アルコールのセンサーはグルコースセンサーである。
【実施例】
【００３９】
以下の実施例は、本明細書に開示されるいくつかの実施形態をさらに説明するために提供される。実施例は、開示された実施形態を限定することではなく、例示することを意図している。
【００４０】
酸素とさまざまな糖およびグルコースなどの糖アルコールを含む溶液では、糖／糖アルコールは化学反応によって酸素を不安定にする傾向がある。これは図１に例示されており、図１は、４５℃で２週間保管した場合の、グルコース濃度の増加に伴う酸素の損失（ｐ０２の分解％）を示している。図１に示されるように、グルコースの添加は、グルコースの濃度の増加とともに増加するｐＯ２の損失を引き起こす。
【００４１】
例示的なアミノ酸であるアルギニンおよびオルニチンが２５℃で酸素を安定化させる能力を試験した。アルギニンまたはオルニチンを含むグルコース含有溶液（表１）を酸素とともに散布し、次に閉鎖系内に密封した。２５℃で１２週間保管したサンプルの酸素回収率を分析し、ゼロ時間（ベースライン）と比較した。表１および図２に示すように、ゼロ時間と比較して、アルギニンまたはオルニチンのそれぞれを２５℃で１２週間保存したサンプルから、酸素の９３．６％および９５．７％が回収された。
【表１】
2021507246.tif 000003
【００４２】
当業者は、本発明の好ましい実施形態に対して多くの変更および修飾を行うことができ、そのような変更および修飾は、本発明の精神から逸脱することなく行うことができることを理解するであろう。したがって、添付の特許請求の範囲は、本発明の真の精神および範囲に含まれるすべてのそのような同等の変形をカバーすることが意図されている。
【図１】
2021507246.tif 000004
【図２】
2021507246.tif 000005
【国際調査報告】
2021507246.tif 000006
2021507246.tif 000007